(57)【要約】      （修正有）【課題】建設工事、電気配線工事等において、ステップル、ネジ、又は釘等の利用において、ベルトフック付小物容器、又は小箱より取出しを容易にする磁石式取出し具を提供する。【解決手段】磁気透過板のベース板２の面に箱等に掛けるクリップ３を一か所以上設け、板の一端より吊り下げ部材４を設けて、吊り下げ部材４の先端に磁石５を取り付け、クリップ３でベース板２を箱の面に固定して、磁石５によって箱内のステップル、ネジ類を吸引し移動することで電気工事、建築工事を作業効率を高めることができる。【選択図】図２
0003203260.tif 000002
【実用新案登録請求の範囲】
【請求項１】
磁気透過板の面に箱面上部を挟持するクリップを一か所以上設け、前記磁気透過板の一端より吊り下げ部材を設けて、前記吊り下げ部材の端に磁石を取り付け、前記クリップで前記磁力透過板を前記箱の面に固定して、前記磁石によって箱内の小物を吸引し移動することを特徴とする磁石式取出し具。
【請求項２】
クリップの一端より吊り下げ部材を設けて、前記吊り下げ部材の先端に磁石を取り付け、前記クリップを箱に固定し、前記磁石によって箱内の小物を吸引し移動することを特徴とする磁石式取出し具。
【請求項３】
前記磁気透過板、又はクリップの一端に磁石吸引する金属板を設けて、前記磁石を着脱自在に設けたことを特徴とする請求項１、２記載の磁石式取出し具。
【考案の詳細な説明】
【技術分野】
【０００１】
本考案は、電気配線工事、配管工事、及び建設工事において、ステップル、ネジ、釘などを収容して容易に取出しができる小物収容箱に関する
【背景技術】
【０００２】
従来、電気工事の配線工事においてＦケーブルの配線工事を造営物に被着するとき、ステップルを用いて金槌で打込み、又はサドルを用いて木ネジ等で締めつけておこなうが、ステップルや木ネジ等を小物類の箱に納めるか、作業衣のポケットなどに納めてそのつど取出して作業を行うものである、この時従来の方法で取出すとき、箱等の収納の数が次第に少なくなると取出しにくくなる。
また、少なくなるステップル等を掴むとき指先にステップル等の鋭い先端が接触して痛みを感じることがある、時には爪との間に入り非常に痛いことがあることから作業の効率を悪くするものである。
また、配管作業などにおいてネジ、釘等を利用においても同様に効率が悪いものである。
【０００３】
そこで、開口を有し、内部に釘・ビス等の小物類を収納可能な収納箱本体と、前記開口を閉塞する蓋体とから成り、前記蓋体に、該蓋体を閉じた状態で、収納箱本体を横等にして持ち運び、その後に収納箱本体に収納された前記小物類を磁石で保持して、前記蓋体を開くと、前記小物類は前記蓋の磁石で保持した状態の小物類の収納箱がある（例えば特許文献１参照）。
【０００４】
また、釘箱において中心側へ傾斜した底板の中心部に設けた凸起より外側に向って仕切番を持ち上部に上部孔、中部に中部孔、下部に下部孔を設けた凸起を持った透明、半透明で一体形成した箱の中心部に円筒下部、及び円筒上部の2段型の磁石の中心部の上部に磁性体の取手を取付た非磁性体のボルトをとうしてボルトで上下を固定して、上部の磁性体を引き上げ磁性体に吸引した釘等を取出す釘箱がある（例えば特許文献２参照）。
【０００５】
また、ベルトフックを備えた磁力線透過の小物箱の外側面に垂直の蟻形溝を設ける、またベルトフックを備えた磁力線透過の板の面に垂直の蟻形溝を設けて小物類を収納した梱包箱に装着する、夫々の垂直の蟻形溝にツマミ付永久磁石が蟻形溝に沿って上下に移動、滑動できるように設けることで、箱に収納された小物類（ステップル、木ネジ、釘類）をツマミ付永久磁石によって吸引して上部の取出し口に移動して容易に取出し易くして、吸着した小物類が無くなると、自動的にツマミ付磁石は下降することで作業効率を高めるベルトフック付小物取出し具である（例えば特許文献３参照）。
【先行技術文献】
【特許文献】
【０００６】
【特許文献１】特開２００３−２２０５８０号広報
【特許文献２】実用新案公開昭５６−１２１５８７号広報
【特許文献３】特開２０１５−１５0031号広報
【考案の概要】
【考案が解決しようとする課題】
【０００７】
しかし、特許文献１の発明のベルト係止片を備えた小物類の収納箱で、箱より取出して蓋の磁石部に吸引して保持をするが、高所の作業や激しく動作をする作業において蓋をあけた状態では保持した小物類は激しい震動、あるいは蓋部が壁面、工作物に接触をして落下の可能性がある。
また、ケース本体に納めて、横にして滑動をすることで小物類（ネジ、釘等）が蓋の磁石部に吸引した状態となることで、利用時に小物類の収納箱の蓋磁石部より取出して使うものであるが、多数の小物類を必要とするとき、そのつど磁石部に補給しなければならないことから、配線作業、配管工事等においては効率性が悪いものである。
【０００８】
また、特許文献２の考案においては、磁性体一体が釘箱の中心部に固定した状態で設けられていることから着脱ができず、様々な工事において多種、多様でサイズも多く利用することから夫々の磁性体一体の箱が必要であることから不経済となる。
さらに、構造じょう作業時に携帯として利用は困難がある、何らかの方法で身につけて携帯として利用できる構造として、作業中に釘等を吸引して上下動の磁性体一体を上部に位置した状態において、摘まんだ指を離し維持しようとするが、作業中の振動などにおいて上部に維持することは困難である、よってそのつど磁性体一体を上部滑動しなければならず、常に滑動をする配線作業、配管作業等において効率の良い作業はできないものである。
【０００９】
また、特許文献３の発明は磁石の移動が垂直のみとなることで、容器等の箱の容量が大きいと箱内の隅々のネジ、ステップル、釘等を吸引することが困難であり、また構造が複雑であり製造単価が高くなるものである。
【課題を解決するための手段】
【００１０】
そこで本考案は、上記の課題になされたもので、電気配線工事、配管工事、及び建設工事において、ステップル、ネジ、釘などの小物類を収納した箱、梱包箱に、磁石を用いて磁石を箱、梱包箱の面を上下、左右の広範囲に移動、滑動できるように設けた磁石式取出し具を装着して小物類を容易に取出しができる着脱の装置である。
なお、構造が単純であり生産性にメリットがある。
【００１１】
上記の目的を達成すために、磁気透過板の面に箱面上部を挟持するクリップを一か所以上設け、前記磁気透過板の一端より吊り下げ部材を設けて、前記吊り下げ部材の端に磁石を取り付け、前記クリップで前記磁力透過板を前記箱の面に固定して、前記磁石によって箱内の小物を吸引し移動することを特徴とする。
【００１２】
また、クリップの一端より吊り下げ部材を設け、前記吊り下げ部材の先端に磁石を取り付け、前記クリップを箱に固定し、前記磁石によって箱内の小物を吸引し移動することを特徴とする。
【００１３】
また、前記磁気透過板、又は前記クリップの一端に磁石吸引する金属板を設けて、前記磁石を着脱自在に設けたことを特徴とする。
【００１４】
また、前記磁気透過板の面に箱に吸引可能な粘着部を設けたことを特徴とする。
【考案の効果】
【００１５】
以上の説明から明らかのように、本考案にあってはつぎに列挙する効果が得られる。
【００１６】
作業時にステップル、ネジ等を磁石式取出し具に納めて、ベルト、ポケット等にベルトフック掛けて携帯として用いる、よってステップル、ネジ、釘等の小物類を即座に取出し口に複数を用意ができることで即効性の作業ができる。
【００１７】
また、小物箱面とツマミ付磁石の状態において、小物箱面はツマミ付磁石の磁力作用により内側の小物類を強い吸引力によって吸着し、上部に移動した位置を維持し、下部に落下せず、また激しい震動であっても取出し口の位置に留まることから小物類が取出し易いものである。
【００１８】
下部に溜まっているステップル等の小物類を吸引した状態となることから、再びツマミを持ち上部に移動するだけの動作である、これらの動作は小物箱の所を見ずしておこなうことができるものであることから高所作業においても適しているものである。
【００１９】
また、従来においって作業中に小物箱にステップル、ネジ等の小物が少なくなると、指を入れこれらの小物を取り出そうとするとき鋭い先端に指先が刺さり危険でもあった、本考案によりこれらの事も無くなるものであるから安全であることで作業効率の向上ができるものである。
【００２０】
また、磁石式取出し具の構造がシンプルなことから生産においても経済性にも優れている。
【図面の簡単な説明】
【００２１】
【図１】本考案の第一実施例の形態の側面図である。
【図２】第一実施例の形態のクリップ側より見た斜視図である。
【図３】ステップル収納の箱に第一実施例の磁石式取出し具を装着しようとする側面図である。
【図４】第一実施例の磁石式取出し具を箱に装着した斜視図である。
【図５】図４のＸ−Ｘ側面の断面図で（Ａ）図は図４の状態を示した図で、（Ｂ）は磁石を移動図である。（Ａ）図はツマミ付磁石がステップルの部分で吸引した状態の図である。（Ｂ）箱内のステップルをツマミ付磁石により吸引して取出し口に維持した状態の図である。
【図６】本考案に用いるツマミ付磁石の拡大した側面図である。
【図７】本考案の第二実施例の形態で、クリップの一端より吊り下げ部材とクリップ端に磁石を備えた斜視図である。
【図８】第二実施例のクリップを箱に固定した斜視図である。
【図９】本考案の第三実施例の形態における磁気透過のベース板の面に磁石吸引の金属板を設けた正面図である。
【図１０】本考案の第三実施例の形態におけるクリップの一端に磁石吸引の金属板を設けた正面図である。
【図１１】磁石式取出し具を箱に装着して、作業着のポケットに挿入しようとする正面図である。
【図１２】磁石式取出し具を箱に装着一体を作業着のポケット収容部に挿入した正面図である。
【考案を実施するための形態】
【００２２】
本考案の実施例の形態について図面を参照して説明する。
【００２３】
本考案の第一実施例の形態について、図１ないし図６、また図１１、図１２を参照して説明する。
図１は本考案の第一実施例の形態で磁気透過板の面にクリップを設けて磁石を吊下げた側面図である。
図２は図1の斜視図である。
図３はステップル収納の箱に第一実施例の磁石式取出し具を上部より装着しようとする側面図である。
図４は箱に磁石式取出し具を装着した斜視図である。  
図５は図４のＸ−Ｘ側面の断面図で（Ａ）図は図４の状態を示した図で、（Ｂ）は磁石を移動図である。
ここで、（Ａ）図はツマミ付磁石がステップルの部分で吸引した状態の図である。
また、（Ｂ）箱内のステップルをツマミ付磁石により吸引して取出し口に維持した状態の図である。
図６は本考案に用いるツマミ付磁石の拡大した側面図である。
図１１は磁石式取出し具を箱に装着して、作業着のポケットに挿入しようとする正面図である。
図１２は磁石式取出し具を箱に装着一体を作業着のポケット収容部に挿入し、磁石式取出し具のベース板をポケット布前面に出した正面図である。
【００２４】
図１ないし図６に示す如く、２は樹脂製の磁気透過板のベース板である、３はベース板２の面に設けたクリップで小物収納箱等に挟み着脱できるクリップ３である、４はベース板２、またはクリップ３の一端に設けた吊り下げ部材である、５は磁石で磁石５は吊り下げ部材４の先端に取り付ける、なお５ａは磁石のツマミである、６、６ａはベース板２に磁石５が上端、又は下端よりはみ出したりすることを防ぐものである。
１は以上の構成の磁石式取出し具である、７はステップル１１あるいはネジ類等を収めた磁気透過の小物の箱である。
また、吊り下げ部材４はテグス、綿糸類、伸縮部材のゴム系、あるいは鎖状の部材を用いる。
なお、ベース板２は樹脂製のほか木製などの磁気透過材を用いる、またアルミ等の金属も可能である。
【００２５】
よって、この構造は磁気透過できる材質をベース板２の両端の上部よりクリップ３を設け、クリップ３はクリップ３の下端より箱７の面の上部より差し込み、箱７の面を挟む構造である。
また、ツマミ５ａ付磁石５を一端に取付けた吊り下げ部材４のもう一方をベース板２の一端に取付けることでベース板２の面を左右、上下自在に擦ることができる構造に設ける。
【００２６】
したがって、上記の構成により本考案の第一実施例は電気工事の配線工事、配管工事、又は大工工事等において用いるもので、配線工事を利用例としてケーブルのステップル止めにおいて、ステップル１１収納の箱７の前面の上端より、磁石式取出し具１のベース板２のクリップ３二か所を差し込み、クリップ３の挟む力で箱７の前面を挟持する、磁石式取出し具１を箱７に装着した状態で箱７内のステップル１１を取り出すとき、吊り下げ部材４の端に取付けたツマミ５ａ付磁石５をベース板２の前面に接触し、箱７内のステップル１１の所に移動すると磁気はベース板２と箱７透過して磁気力によってステップル１１は間接的に磁石５に吸引し、ベース板２の面を移動すると吸引したステップル１１が同方向に移動する、よって図５は図４のＸ−Ｘの側面の断面図で動作状態を示した２例（Ａ）、（Ｂ）に示すように、（Ａ）図はツマミ付磁石がステップル１１の部分で吸引した状態の図で、（Ｂ）図はステップル１１をツマミ付磁石により吸引し取出し口部分に移動し、磁石５がステップル１１を吸引していることでベース板２と箱７面を挟んで維持した状態となる。
【００２７】
また、作業着１２のポケット収容部１０にステップルの入った箱７を入れ、ポケットの外側より磁石式取出し具１を操作する方法として、ポケットに収めた箱７の前面の上端より、磁石式取出し具１のベース板２をやや開き、開いた状態で箱７に差し込み、入れるようにしてベース板２がクリップ３の挟む力によってポケット布９と箱７面を挟持するように収める、ポケット収容部１０に収める方法として図１１、図１２に示すように、箱７とベース板２をやや開き、開いた状態でポケット収容部１０に箱７を入れるようにしながら、ベース板２をポケット布９の外側にしてポケットに収める。
【００２８】
または、箱７をポケット収容部１０に収めて、箱７を収めてのちにベース板２をポケット布９の外側にして、ベース板２をやや開きながらクリップ３を箱７の内側に差し込み、差し込むことで箱７の面とポケット布９をクリップ３の挟持力で箱７とポケット布９面に装着する。
【００２９】
よって、ポケットに装着した磁石式取出し具１は箱７内のステップル１１を取出す方法はツマミ付磁石をベース板２の面に接触するとベース板２、ポケット布９と箱７透過して磁気力によってステップル１１は間接的に磁石５に吸引し、ベース板２の面を移動するところに吸引したステップル１１が同方向に移動することで、磁石に吸引したステップル１１を箱７とポケットの上部に移動、維持した状態となる。
以上のことから、箱７の上部に維持した状態のステップル１１を即座に摘み取出しケーブルに打込み工事を敏速に進めることができる。
また、これらの動作は木ネジ類、釘等においても同様である。
【００３０】
また、本考案の第二実施例の形態について図７ないし図９を参照して説明する。
図７は本考案の第二実施例の形態で、クリップの一端より吊り下げ部材とクリップ端に磁石を備えた側面図である。
図８は第二実施例のクリップをステップル等を収納した箱面の上端に挟み固定した斜視図である。
【００３１】
図７ないし図８に示す如く、３Ａはターンクリップ、目玉クリップ等のクリップである、４は吊り下げ部材である、吊り下げ部材４はテグス、綿糸類、伸縮部材のゴム系、あるいは鎖状の部材を用いる、５は磁石で磁石５は吊り下げ部材４の先端に取り付ける、なお５ａは磁石のツマミである。
７はステップル１１あるいはネジ類等を収めた磁気透過の小物の箱である。
【００３２】
クリップ３Ａは箱７の上端に挟む構造で、クリップ３Ａの一端より設けた吊り下げ部材４で、吊り下げ部材４の先端にツマミ５ａ付磁石５を取り付ける構造の磁石式取出し具１Ａである。
【００３３】
したがって、上記の構成により本考案の第二実施例は電気工事の配線工事、配管工事、又は大工工事等において用いるもので、配線工事を利用例としてケーブルのステップル止めにおいて、ステップル１１収納の箱７の前面の上端にクリップ３Ａの挟む力で箱７の前面を挟持する、クリップ３Ａを箱７に装着した状態で箱７内のステップル１１を取り出すとき、吊り下げ部材４の端に取付けたツマミ５ａ付磁石５を箱７の面に接触し、箱７内のステップル１１の所に移動すると磁気は箱７透過して磁気力によってステップル１１は間接的に磁石５に吸引し、箱７の面を移動するところに吸引したステップル１１が同方向に移動する、よって第一実施例の動作と同様、ツマミ付磁石がステップル１１の部分で吸引した状態で箱７の取出し口部分に移動して維持した状態となる。
以上のことから、箱７の上部に維持した状態のステップル１１を即座に摘み取出しケーブルに打込み工事を敏速に進めることができる。
また、これらの動作は木ネジ類、釘等においても同様である。
【００３４】
なお、磁石２においてネオジム磁石を用いることで強力な磁力により箱内の小物類のステップル、ネジ、釘等を吸引することで作業中の激しい動きに対しても落下せず作業の効率をさらに高めるものである。
【００３５】
また、本考案の第三実施例の形態について図９、図１０を参照して説明する。
図９は磁気透過板のベース板の面に磁石吸引の金属板を設けた正面図である。
図１０はクリップの一端に磁石吸引の金属板を設けた正面図である。
【００３６】
図９、図１０に示す如く、磁気透過板のベース板の面の一端に磁石５を吸着できる金属板８を設ける。
また、クリップ３、３Ａの一端に磁石５を吸着できる金属板８を設ける。
【００３７】
したがって、上記の構造より磁気透過板のベース板２、またクリップ３、クリップ３Ａに設けた磁石吸着の金属板８に、通常ツマミ５ａ付磁石５を金属板８に吸着した状態にして、箱７に収納したステップル１１、ネジ類などを吸引して取出しとき金属板８よりツマミ付磁石を離しベース板２面、あるいは箱７の面に接触して箱７内のステップル、ネジ類を吸引して取り出す動作とするものである。
【００３８】
なお、磁石式取出し具１の磁気透過板としたベース板２の面に箱７に着脱可能な粘着部を設けることで、粘着部を設けた面を箱７の前面に当着して、ベース板２の面に磁石５を接して箱７内のステップル、ネジ、釘等を取り出す。
【符号の説明】
【００３９】
１、１Ａは磁石式取出し具  
２はベース板
３、３Ａはクリップ
４は吊り下げ部材
５は磁石
５ａはツマミ
６は上部はみ出し防止部
６ａは下部はみ出し防止部
７は箱
８は磁石を吸着する金属板
９はポケット布
１０はポケット収容部
１１はステップル
１２は作業着
【図１】
0003203260.tif 000003
【図２】
0003203260.tif 000004
【図３】
0003203260.tif 000005
【図４】
0003203260.tif 000006
【図５】
0003203260.tif 000007
【図６】
0003203260.tif 000008
【図７】
0003203260.tif 000009
【図８】
0003203260.tif 000010
【図９】
0003203260.tif 000011
【図１０】
0003203260.tif 000012
【図１１】
0003203260.tif 000013
【図１２】
0003203260.tif 000014
【手続補正書】
【提出日】平成27年11月2日(2015.11.2)
【手続補正１】
【補正対象書類名】実用新案登録請求の範囲
【補正対象項目名】請求項１
【補正方法】変更
【補正の内容】
【請求項１】
磁気透過板の面に箱面上部を挟持するクリップを一か所以上設け、前記磁気透過板と前記クリップの一体化の一部分から磁石を備えた吊り下げ部材を取り付け、前記クリップによって箱の上端を挟持し前記磁力透過板を前記箱の面に装着することを特徴とする磁石式取出し具。
【手続補正２】
【補正対象書類名】明細書
【補正対象項目名】全文
【補正方法】変更
【補正の内容】
【考案の詳細な説明】
【技術分野】
【０００１】
本考案は、電気配線工事、配管工事、及び建設工事において、ステップル、ネジ、釘などを収容して容易に取出しができる小物収容箱に関する
【背景技術】
【０００２】
従来、電気工事の配線工事においてＦケーブルの配線工事を造営物に被着するとき、ステップルを用いて金槌で打込み、又はサドルを用いて木ネジ等で締めつけておこなうが、ステップルや木ネジ等を小物類の箱に納めるか、作業衣のポケットなどに納めてそのつど取出して作業を行うものである、この時従来の方法で取出すとき、箱等の収納の数が次第に少なくなると取出しにくくなる。
また、少なくなるステップル等を掴むとき指先にステップル等の鋭い先端が接触して痛みを感じることがある、時には爪との間に入り非常に痛いことがあることから作業の効率を悪くするものである。
また、配管作業などにおいてネジ、釘等を利用においても同様に効率が悪いものである。
【０００３】
そこで、開口を有し、内部に釘・ビス等の小物類を収納可能な収納箱本体と、前記開口を閉塞する蓋体とから成り、前記蓋体に、該蓋体を閉じた状態で、収納箱本体を横等にして持ち運び、その後に収納箱本体に収納された前記小物類を磁石で保持して、前記蓋体を開くと、前記小物類は前記蓋の磁石で保持した状態の小物類の収納箱がある（例えば特許文献１参照）。
【０００４】
また、釘箱において中心側へ傾斜した底板の中心部に設けた凸起より外側に向って仕切番を持ち上部に上部孔、中部に中部孔、下部に下部孔を設けた凸起を持った透明、半透明で一体形成した箱の中心部に円筒下部、及び円筒上部の2段型の磁石の中心部の上部に磁性体の取手を取付た非磁性体のボルトをとうしてボルトで上下を固定して、上部の磁性体を引き上げ磁性体に吸引した釘等を取出す釘箱がある（例えば特許文献２参照）。
【０００５】
また、ベルトフックを備えた磁力線透過の小物箱の外側面に垂直の蟻形溝を設ける、またベルトフックを備えた磁力線透過の板の面に垂直の蟻形溝を設けて小物類を収納した梱包箱に装着する、夫々の垂直の蟻形溝にツマミ付永久磁石が蟻形溝に沿って上下に移動、滑動できるように設けることで、箱に収納された小物類（ステップル、木ネジ、釘類）をツマミ付永久磁石によって吸引して上部の取出し口に移動して容易に取出し易くして、吸着した小物類が無くなると、自動的にツマミ付磁石は下降することで作業効率を高めるベルトフック付小物取出し具である（例えば特許文献３参照）。
【先行技術文献】
【特許文献】
【０００６】
【特許文献１】特開２００３−２２０５８０号広報
【特許文献２】実用新案公開昭５６−１２１５８７号広報
【特許文献３】特開２０１５−１５0031号広報
【考案の概要】
【考案が解決しようとする課題】
【０００７】
しかし、特許文献１の発明のベルト係止片を備えた小物類の収納箱で、箱より取出して蓋の磁石部に吸引して保持をするが、高所の作業や激しく動作をする作業において蓋をあけた状態では保持した小物類は激しい震動、あるいは蓋部が壁面、工作物に接触をして落下の可能性がある。
また、ケース本体に納めて、横にして滑動をすることで小物類（ネジ、釘等）が蓋の磁石部に吸引した状態となることで、利用時に小物類の収納箱の蓋磁石部より取出して使うものであるが、多数の小物類を必要とするとき、そのつど磁石部に補給しなければならないことから、配線作業、配管工事等においては効率性が悪いものである。
【０００８】
また、特許文献２の考案においては、磁性体一体が釘箱の中心部に固定した状態で設けられていることから着脱ができず、様々な工事において多種、多様でサイズも多く利用することから夫々の磁性体一体の箱が必要であることから不経済となる。
さらに、構造じょう作業時に携帯として利用は困難がある、何らかの方法で身につけて携帯として利用できる構造として、作業中に釘等を吸引して上下動の磁性体一体を上部に位置した状態において、摘まんだ指を離し維持しようとするが、作業中の振動などにおいて上部に維持することは困難である、よってそのつど磁性体一体を上部滑動しなければならず、常に滑動をする配線作業、配管作業等において効率の良い作業はできないものである。
【０００９】
また、特許文献３の発明は磁石の移動が垂直のみとなることで、容器等の箱の容量が大きいと箱内の隅々のネジ、ステップル、釘等を吸引することが困難であり、また構造が複雑であり製造単価が高くなるものである。
【課題を解決するための手段】
【００１０】
そこで本考案は、上記の課題になされたもので、電気配線工事、配管工事、及び建設工事において、ステップル、ネジ、釘などの小物類を収納した箱、梱包箱に、磁石を用いて磁石を箱、梱包箱の面を上下、左右の広範囲に移動、滑動できるように設けた磁石式取出し具を装着して小物類を容易に取出しができる着脱の装置である。
なお、構造が単純であり生産性にメリットがある。
【００１１】
上記の目的を達成すために、磁気透過板の面に箱面上部を挟持するクリップを一か所以上設け、前記磁気透過板と前記クリップの一体化の一部分から磁石を備えた吊り下げ部材を取り付け、前記クリップによって箱の上端を挟持し前記磁力透過板を前記箱の面に装着することを特徴とする。
【００１２】
また、クリップの一端より吊り下げ部材を設け、前記吊り下げ部材の先端に磁石を取り付け、前記クリップを箱に固定し、前記磁石によって箱内の小物を吸引し移動することを特徴とする。
【００１３】
また、前記磁気透過板、又は前記クリップの一端に磁石吸引する金属板を設けて、前記磁石を着脱自在に設けたことを特徴とする。
【００１４】
また、前記磁気透過板の面に箱に吸引可能な粘着部を設けたことを特徴とする。
【考案の効果】
【００１５】
以上の説明から明らかのように、本考案にあってはつぎに列挙する効果が得られる。
【００１６】
ステップル、ネジ等を納めた箱に磁石式取出し具を装着しポケットに入れ作業時に、ポケットの外側より磁石を操作してステップル、ネジ、釘等の小物類を即座に取出し口に複数を用意ができることで即効性の作業ができる、また携帯としても有効である。
【００１７】
また、ツマミ付磁石によって箱内のステップル、ネジ等の小物類を磁力作用により強い吸引力によって吸着し、上部に移動した位置を維持し、下部に落下せず、また激しい震動であっても取出し口の位置に留まることから小物類が取出し易いものである。
【００１８】
また、下部に溜まっているステップル等を吸引して、再びツマミを持ち上部に移動するだけの動作であることから高所作業においても適しているものである。
【００１９】
また、従来においって作業中に小物箱にステップル、ネジ等の小物が少なくなると、指を入れこれらの小物を取り出そうとするとき鋭い先端に指先が刺さり危険でもあった、本考案によりこれらの事も無くなるものであるから安全であることで作業効率の向上ができるものである。
【００２０】
また、磁石式取出し具の構造がシンプルなことから生産においても経済性にも優れている。
【図面の簡単な説明】
【００２１】
【図１】本考案の第一実施例の形態の側面図である。
【図２】第一実施例の形態のクリップ側より見た斜視図である。
【図３】ステップル収納の箱に第一実施例の磁石式取出し具を装着しようとする側面図である。
【図４】第一実施例の磁石式取出し具を箱に装着した斜視図である。
【図５】図４のＸ−Ｘ側面の断面図で（Ａ）図は図４の状態を示した図で、（Ｂ）は磁石を移動図である。（Ａ）図はツマミ付磁石がステップルの部分で吸引した状態の図である。（Ｂ）箱内のステップルをツマミ付磁石により吸引して取出し口に維持した状態の図である。
【図６】本考案に用いるツマミ付磁石の拡大した側面図である。
【図７】本考案の第二実施例の形態で、クリップの一端より吊り下げ部材とクリップ端に磁石を備えた斜視図である。
【図８】第二実施例のクリップを箱に装着した斜視図である。
【図９】本考案の第三実施例の形態における磁気透過のベース板の面に磁石吸引の金属板を設けた斜視図である。
【図１０】本考案の第三実施例の形態におけるクリップに磁石吸引の金属板を設け、箱面に装着した図である。
【図１１】磁石式取出し具を箱に装着して、作業着のポケットに挿入しようとする正面図である。
【図１２】磁石式取出し具を箱に装着一体を作業着のポケット収容部に挿入した正面図である。
【考案を実施するための形態】
【００２２】
本考案の実施例の形態について図面を参照して説明する。
【００２３】
本考案の第一実施例の形態について、図１ないし図６、また図１１、図１２を参照して説明する。
図１は本考案の第一実施例の形態で磁気透過板の面にクリップを設けて磁石を吊下げた側面図である。
図２は図1の斜視図である。
図３はステップル収納の箱に第一実施例の磁石式取出し具を上部より装着しようとする側面図である。
図４は箱に磁石式取出し具を装着した斜視図である。  
図５は図４のＸ−Ｘ側面の断面図で（Ａ）図は図４の状態を示した図で、（Ｂ）は磁石を移動図である。
ここで、（Ａ）図はツマミ付磁石がステップルの部分で吸引した状態の図である。
また、（Ｂ）箱内のステップルをツマミ付磁石により吸引して取出し口に維持した状態の図である。
図６は本考案に用いるツマミ付磁石の拡大した側面図である。
図１１は磁石式取出し具を箱に装着して、作業着のポケットに挿入しようとする正面図である。
図１２は磁石式取出し具を箱に装着一体を作業着のポケット収容部に挿入し、磁石式取出し具のベース板をポケット布前面に出した正面図である。
【００２４】
図１ないし図６に示す如く、２は樹脂製の磁気透過板のベース板である、３はベース板２の面に設けたクリップで小物収納箱等に挟み着脱できるクリップ３である、４はベース板２の一部分、またはクリップ３の一端に取り付けた吊り下げ部材である、５は磁石で磁石５は吊り下げ部材４の先端に取り付ける、なお５ａは磁石のツマミである、６、６ａはベース板２に磁石５が上端、又は下端よりはみ出したりすることを防ぐ凸状のものである。
１は以上の構成の磁石式取出し具である、７はステップル１１あるいはネジ類等を収めた磁気透過の小物の箱である。
また、吊り下げ部材４はテグス、綿糸類、伸縮部材のゴム系、あるいは鎖状の部材を用いる。
なお、ベース板２は樹脂製のほか木製などの磁気透過材を用いる、またアルミ等の金属も可能である。
【００２５】
よって、この構造は磁気透過できる材質をベース板２の両端の上部よりクリップ３二か所を設け、クリップ３はクリップ３の下端より箱７の面の上部より差し込み、挟み、箱７の上部を挟持し装着する構造である、また吊り下げ部材４をベース坂２、あるいはクリップ３の一部分より取り付け、吊り下げ部材４の端にツマミ５ａ付磁石５を設け、ベース板２の面を左右、上下自在に移動することができる構造に設ける。
【００２６】
したがって、上記の構成により本考案の第一実施例は電気工事の配線工事、配管工事、又は大工工事等において用いるもので、配線工事を利用例としてケーブルのステップル止めにおいて、ステップル１１収納の箱７の前面の上端より、磁石式取出し具１のベース板２のクリップ３二か所を差し込み、クリップ３の挟む力で箱７の前面を挟持する、磁石式取出し具１を箱７に装着した状態で箱７内のステップル１１を取り出すとき、吊り下げ部材４の端に取付けたツマミ５ａ付磁石５をベース板２の前面に接触し、箱７内のステップル１１の所に移動すると磁気はベース板２と箱７透過して磁気力によってステップル１１は間接的に磁石５に吸引し、ベース板２の面を移動すると吸引したステップル１１が同方向に移動する、よって図５は図４のＸ−Ｘの側面の断面図で動作状態を示した２例（Ａ）、（Ｂ）に示すように、（Ａ）図はツマミ付磁石がステップル１１の部分で吸引した状態の図で、（Ｂ）図はステップル１１をツマミ付磁石により吸引し取出し口部分に移動し、磁石５がステップル１１を吸引していることでベース板２と箱７面を挟んで維持した状態となる。
【００２７】
また、作業着１２のポケット収容部１０にステップル１１の入った箱７を入れ、ポケットの外側より磁石式取出し具１を操作する方法として、ポケットに収めた箱７の前面の上端より、磁石式取出し具１のベース板２をやや開き、開いた状態で箱７に差し込み、入れるようにしてベース板２がクリップ３の挟む力によってポケット布９と箱７面を挟持するように収める、ポケット収容部１０に収める方法として図１１、図１２に示すように、箱７とベース板２をやや開き、開いた状態でポケット収容部１０に箱７を入れるようにしながら、ベース板２をポケット布９の外側にしてポケットに収める。
【００２８】
または、箱７をポケット収容部１０に収めて、箱７を収めてのちにベース板２をポケット布９の外側にして、ベース板２をやや開きながらクリップ３を箱７の内側に差し込み、差し込むことで箱７の面とポケット布９をクリップ３の挟持力で箱７とポケット布９面に装着する。
【００２９】
よって、ポケットに装着した磁石式取出し具１は箱７内のステップル１１を取出す方法はツマミ付磁石をベース板２の面に接触するとベース板２、ポケット布９と箱７透過して磁気力によってステップル１１は間接的に磁石５に吸引し、ベース板２の面を移動するところに吸引したステップル１１が同方向に移動することで、磁石に吸引したステップル１１を箱７とポケットの上部に移動、維持した状態となる、またツマミ５ａ付磁石５をベース坂２の面を上下に移動するとき上部、または下部より外れることを防ぐため上端の凸状６、あるいは下端の凸状６ａを設ける。
以上のことから、箱７の上部に維持した状態のステップル１１を即座に摘み取出しケーブルに打込み工事を敏速に進めることができる。
また、これらの動作は木ネジ類、釘等においても同様である。
【００３０】
また、本考案の第二実施例の形態について図７、図８を参照して説明する。
図７は本考案の第二実施例の形態で、クリップの一端より吊り下げ部材を取り付けて、吊り下げ部材の端に磁石を備えた側面図である。    
図８は第二実施例のクリップをステップル等の収納した箱面の上端に挟み装着した斜視図である。
【００３１】
図７ないし図８に示す如く、３Ａは一例のクリップで、クリップはつかんで留め置くための器具で、ゼムクリップ、マネークリップ、ターンクリップ、目玉クリップ等のクリップである、４は吊り下げ部材である、吊り下げ部材４はテグス、綿糸類、伸縮部材のゴム系、あるいは鎖状の部材を用いる、５は磁石で磁石５は吊り下げ部材４の先端に取り付ける、なお５ａは磁石のツマミである。
７はステップル１１あるいはネジ類等を収めた磁気透過の小物の箱である。
【００３２】
クリップ３Ａは箱７の上端に挟む構造で、クリップ３Ａの一端より取り付けた吊り下げ部材４で、吊り下げ部材４の先端にツマミ５ａ付磁石５を取り付ける構造の磁石式取出し具１Ａである。
【００３３】
したがって、上記の構成により本考案の第二実施例は電気工事の配線工事、配管工事、又は大工工事等において用いるもので、配線工事を利用例としてケーブルのステップル止めにおいて、ステップル１１収納の箱７の前面の上端にクリップ３Ａの挟む力で箱７の前面を挟持する、クリップ３Ａを箱７に装着した状態で箱７内のステップル１１を取り出すとき、吊り下げ部材４の端に取付けたツマミ５ａ付磁石５を箱７の面に接触し、箱７内のステップル１１の所に移動すると磁気は箱７透過して磁気力によってステップル１１は間接的に磁石５に吸引し、箱７の面を移動するところに吸引したステップル１１が同方向に移動する、よって第一実施例の動作と同様、ツマミ付磁石がステップル１１の部分で吸引した状態で箱７の取出し口部分に移動して維持した状態となる。
以上のことから、箱７の上部に維持した状態のステップル１１を即座に摘み取出しケーブルに打込み工事を敏速に進めることができる。
また、これらの動作は木ネジ類、釘等においても同様である。
【００３４】
なお、磁石２においてネオジム磁石を用いることで強力な磁力により箱内の小物類のステップル、ネジ、釘等を吸引することで作業中の激しい動きに対しても落下せず作業の効率をさらに高めるものである。
【００３５】
また、本考案の第三実施例の形態について図９、図１０を参照して説明する。
図９は磁気透過のベース板の面に磁石吸引の金属板を設けた斜視図である。
図１０はクリップに磁石吸引の金属板を設け、箱面に装着した図である。
【００３６】
図９、図１０に示す如く、磁気透過板のベース板の面の一端に磁石５を吸着できる金属板８を設ける。
また、クリップ３、３Ａの一部分に磁石５を吸着できる金属板８を設ける。
【００３７】
したがって、上記の構造より磁気透過板のベース板２、またクリップ３、クリップ３Ａに設けた磁石吸着の金属板８に、通常ツマミ５ａ付磁石５を金属板８に吸着した状態にして、箱７に収納したステップル１１、ネジ類などを吸引して取出しとき金属板８よりツマミ付磁石を離しベース板２面、あるいは箱７の面に接触して箱７内のステップル、ネジ類を吸引して取り出す動作とするものである。
【００３８】
なお、磁石式取出し具１の磁気透過板のベース板２の面に箱７に着脱可能な粘着部を設けることで、粘着部を設けた面を箱７の前面に当着して、ベース板２の面に磁石５を接して箱７内のステップル、ネジ、釘等を取り出す。
【符号の説明】
【００３９】
１、１Ａは磁石式取出し具  
２はベース板
３、３Ａはクリップ
４は吊り下げ部材
５は磁石
５ａはツマミ
６は上部はみ出し防止部
６ａは下部はみ出し防止部
７は箱
８は磁石を吸着する金属板
９はポケット布
１０はポケット収容部
１１はステップル
１２は作業着
【手続補正書】
【提出日】平成28年1月12日(2016.1.12)
【手続補正１】
【補正対象書類名】実用新案登録請求の範囲
【補正対象項目名】全文
【補正方法】変更
【補正の内容】
【実用新案登録請求の範囲】
【請求項１】
磁気透過板の面に箱面上部を挟持するクリップを一か所以上設け、前記磁気透過板と前記クリップの一体化の一部分から磁石を備えた吊り下げ部材を取り付け、前記クリップによって箱の上端を挟持し前記磁力透過板を前記箱の面に装着することを特徴とする磁石式取出し具。
【請求項２】
クリップの一端より吊り下げ部材を設けて、前記吊り下げ部材の先端に磁石を取り付け、前記クリップを箱に固定し、前記磁石によって箱内の小物を吸引し移動することを特徴とする磁石式取出し具。
【請求項３】
前記磁気透過板一端に磁石吸引する金属板を設けて、前記磁石を着脱自在に設けたことを特徴とする請求項１記載の磁石式取出し具。